(57)【要約】【課題】可動部を備える電子機器において、大型化を伴わずに可動部の開閉を磁気的に検知すること、および開閉検知角度の設計を容易化すること。【解決手段】撮像装置は、ヒンジ部４３により表示部が機器本体部に対して開閉方向に回動可能な可動部４０を備える。磁石５２はヒンジ部４３の近傍に配置され、開閉センサ５０は、磁石５２の磁場を検知することにより可動部４０の開閉を検知する。磁石５２の着磁方向は、可動部４０の開閉軸４５に垂直な方向であり、開閉センサ５０は開閉軸４５と垂直な方向の磁場を検知し、制御部は開閉センサ５０の検知信号を取得して表示部４１の表示状態を制御する。【選択図】  図３
2020074509.tif 000002
【特許請求の範囲】
【請求項１】
本体部と、
可動部と、
前記本体部と前記可動部とを連結する２軸回転部と、
前記可動部に配置される磁場発生部と、
前記本体部に配置され、前記磁場発生部が発生させる磁場を検出して信号を出力する第１の磁気センサと、
前記本体部に配置され、前記磁場発生部が発生させる磁場を検出して信号を出力する第２の磁気センサと、を備え、
前記２軸回転部は、第１の軸と、前記第１の軸と直交する第２の軸とを有し、
前記磁場発生部は、前記第１の軸の方向と直交する磁場を発生させ、
前記第１の磁気センサは、前記第１の軸の方向の磁場を検出するように配置され、
前記第２の磁気センサは、前記第１の軸と直交する方向の磁場を検出するように配置されており、
前記第１の磁気センサおよび前記第２の磁気センサは、前記第１の軸の方向に並んで配置され、
前記可動部が前記本体部に収納された第１の状態において、前記第１の磁気センサおよび前記第２の磁気センサは、前記磁場発生部が発生させる磁場を検出できない位置にあり、
前記第１の状態から前記第１の軸を中心として前記可動部を回転させ、前記可動部を前記本体部から突出させた第２の状態において、前記第１の磁気センサおよび前記第２の磁気センサは、前記磁場発生部が発生させる磁場を検出できない位置にあり、
前記第２の状態から前記第２の軸を中心として前記可動部を回転させた第３の状態において、前記第１の磁気センサは、前記磁場発生部が発生させる磁場を検出できる位置にあり、
前記第３の状態から前記第１の軸を中心として前記可動部を回転させ、前記可動部が前記本体部に収納された第４の状態において、前記第２の磁気センサは、前記磁場発生部が発生させる磁場を検出できる位置にあり、
前記第２の状態から前記第３の状態への移行は、前記第１の磁気センサの出力の変化によって検知され、
前記第３の状態から前記第４の状態への移行は、前記第２の磁気センサの出力の変化によって検知される
ことを特徴とする電子機器。
【請求項２】
前記第４の状態から前記第３の状態への移行時に前記第１の軸を中心として前記可動部が回転された場合、前記第１の磁気センサの出力が変化することなく、前記第２の磁気センサの出力が変化する
ことを特徴とする請求項１に記載の電子機器。
【請求項３】
前記第２の磁気センサは、前記第１の軸の方向の磁場の変化を検出できず、
前記第１の磁気センサは、前記第２の軸の方向の磁場の変化を検出できず、
前記第３の状態において、前記第１および第２の磁気センサのいずれも前記磁場発生部が発生させる磁場を検出できる
ことを特徴とする請求項１または請求項２に記載の電子機器。
【請求項４】
前記第１の磁気センサおよび前記第２の磁気センサは、前記第１の軸上に配置されている
ことを特徴とする請求項１から３のいずれか１項に記載の電子機器。
【発明の詳細な説明】
【技術分野】
【０００１】
本発明は、可動部を備えた電子機器に関するものである。
【背景技術】
【０００２】
従来、デジタルカメラやビデオカメラなどには、機器本体部に対して開閉および回転可能な表示部を有する機器がある。表示部の開閉または回転の状態に応じて表示部に表示される画像の上下及び左右の反転処理や、点灯と消灯の切り替え処理が行われる。また、表示部の開閉または回転の検知には、磁石及び磁気センサが用いられる。その理由は、省スペース化が可能なことや非接触による信頼性の向上などのためである。特許文献１では、開閉や回転の検知にそれぞれ磁気センサを用い、表示部の表示状態の切り替えを行う装置が開示されている。
【先行技術文献】
【特許文献】
【０００３】
【特許文献１】特開２０１２−４２７４３号公報
【発明の概要】
【発明が解決しようとする課題】
【０００４】
特許文献１に開示された従来技術では、表示部の検知角度の設計変更を行う際に、どのパラメータを変更すれば所望の角度となるかが直感的に分かりづらく、シミュレーションなどを繰り返し行った上で、所望の検知角度への再設計をする必要があった。また、所望の検知角度の達成のためには、外装サイズを大きくしなければならない場合があり得る。
本発明は、可動部を備える電子機器において、大型化を伴わずに可動部の開閉を磁気的に検知すること、および開閉検知角度の設計の容易化を目的とする。
【課題を解決するための手段】
【０００５】
本発明に係る電子機器は、本体部と、可動部と、前記本体部と前記可動部とを連結する２軸回転部と、前記可動部に配置される磁場発生部と、前記本体部に配置され、前記磁場発生部が発生させる磁場を検出して信号を出力する第１の磁気センサと、前記本体部に配置され、前記磁場発生部が発生させる磁場を検出して信号を出力する第２の磁気センサと、を備える。前記２軸回転部は、第１の軸と、前記第１の軸と直交する第２の軸とを有し、前記磁場発生部は、前記第１の軸の方向と直交する磁場を発生させ、前記第１の磁気センサは、前記第１の軸の方向の磁場を検出するように配置され、前記第２の磁気センサは、前記第１の軸と直交する方向の磁場を検出するように配置されている。前記第１の磁気センサおよび前記第２の磁気センサは、前記第１の軸の方向に並んで配置され、前記可動部が前記本体部に収納された第１の状態において、前記第１の磁気センサおよび前記第２の磁気センサは、前記磁場発生部が発生させる磁場を検出できない位置にあり、前記第１の状態から前記第１の軸を中心として前記可動部を回転させ、前記可動部を前記本体部から突出させた第２の状態において、前記第１の磁気センサおよび前記第２の磁気センサは、前記磁場発生部が発生させる磁場を検出できない位置にあり、前記第２の状態から前記第２の軸を中心として前記可動部を回転させた第３の状態において、前記第１の磁気センサは、前記磁場発生部が発生させる磁場を検出できる位置にあり、前記第３の状態から前記第１の軸を中心として前記可動部を回転させ、前記可動部が前記本体部に収納された第４の状態において、前記第２の磁気センサは、前記磁場発生部が発生させる磁場を検出できる位置にある。前記第２の状態から前記第３の状態への移行は、前記第１の磁気センサの出力の変化によって検知され、前記第３の状態から前記第４の状態への移行は、前記第２の磁気センサの出力の変化によって検知される。
【発明の効果】
【０００６】
本発明によれば、可動部を備える電子機器の大型化を伴わずに可動部の開閉を磁気的に検知することができ、可動部の開閉検知角度の設計を容易に行える。
【図面の簡単な説明】
【０００７】
【図１】本発明の実施形態に係る撮像装置の外観を示す斜視図である。
【図２】図１の可動式表示装置を開いた状態の撮像装置を示す斜視図である。
【図３】図１の可動式表示装置の動作と、各センサおよび磁石の配置を示す図である。
【図４】図３の可動式表示装置の各動作における表示状態を示す図である。
【図５】本実施形態の撮像装置の構成例を示すブロック図である。
【図６】本実施形態の撮像装置の背面図である。
【図７】本実施形態の開閉センサ、回転センサ、磁石の配置の詳細を示す図である。
【図８】本実施形態の可動式表示装置の動作と、各センサの検知する磁束密度との関係を示す図である。
【図９】変形例に係る撮像装置を説明する図である。
【発明を実施するための形態】
【０００８】
以下に、本発明の好ましい実施形態を、添付図面に基づいて詳細に説明する。
図１は、本発明の実施形態に係る電子機器の一例として、デジタルカメラなどの撮像装置を示す外観図である。図１（Ａ）は撮像装置１００を前面側から見た場合の斜視図であり、図１（Ｂ）は撮像装置１００を背面側から見た場合の斜視図である。図１（Ａ）では、着脱可能な撮影レンズ装置を取り外した状態で撮像装置１００の機器本体部を示す。なお、被写体側を前面側と定義して、各部の位置関係を説明する。撮像装置１００は、可動式表示装置（以下、可動部という）４０を備える。図２は撮像装置１００の背面部において開状態の可動部４０を示す斜視図である。
【０００９】
図１（Ａ）に示すシャッタボタン６１は、ユーザが撮影指示を行うための操作部を構成する操作部材である。モード切り替えスイッチ６０は各種モードの切り替え用操作部材である。撮像装置１００の側面部に位置する端子カバー９１は、外部機器と撮像装置１００とを接続する接続ケーブル等のコネクタ（不図示）を保護する。メイン電子ダイヤル７１はグリップ部９０の上面部に設けられた回転操作部材である。ユーザはメイン電子ダイヤル７１を回転させることで、シャッタ速度や絞り値を含む各種設定値の変更等が行える。
【００１０】
図１（Ｂ）に示す電源スイッチ７２は、ユーザが撮像装置１００の電源のＯＮ及びＯＦＦを切り替える際に使用する操作部材である。サブ電子ダイヤル７３は撮像装置１００の背面部に位置する回転操作部材であり、ユーザが選択枠の移動や画像送りなどの操作を行う際に使用する。ＳＥＴボタン７５は押しボタンであり、主に選択項目の決定などに用いられる。マルチコントローラ７６は上、下、左、右に倒すことができ、各方向への操作が可能である。拡大ボタン７７は撮影モードでのライブビュー（以下、ＬＶとも記す）表示において、ユーザが拡大モードのＯＮ又はＯＦＦの操作を行い、拡大モード中の拡大率を変更する際に使用する操作ボタンである。拡大ボタン７７は、再生モードにおいては再生画像を拡大し、拡大率を増加させるための拡大ボタンとして機能する。再生ボタン７８は、ユーザが撮影モードと再生モードとを切り替える際に使用する操作ボタンである。撮影モード中にユーザが再生ボタン７８を押下することにより、再生モードに移行する。ＬＶレバー９２は、静止画撮影モードと動画撮影モードの切り替えをユーザが行う際に使用する操作部材である。ＬＶボタン９３は、静止画撮影モードにおいてユーザがライブビュー表示のＯＮとＯＦＦを切り替える際に使用する操作部材である。動画撮影モードにおいて、ＬＶボタン９３は、動画撮影（記録）の開始や停止の指示に用いられる。
【００１１】
図１（Ａ）に示すクイックリターンミラー１２は、機器本体部の内部に設けられた可動光学部材であり、システム制御部（図５の参照符号３０）から指示されて、不図示のアクチュエータにより回動される。通信端子１０は、撮像装置１００に不図示の撮影レンズ装置が装着された状態で、撮影レンズ装置と機器本体部とが通信を行う為の通信端子である。図１（Ｂ）に示す接眼ファインダ１６は、ユーザが不図示のフォーカシングスクリーンを観察することで、レンズ部を通して被写体像のピント状態や構図の確認を行うための覗き込み型ファインダである。機器本体部の側面部に配置された蓋２０２は記録媒体の着脱用スロットの開閉蓋である。グリップ部９０は、ユーザが撮像装置１００を構えた際に右手で握りやすい形状をした把持部である。
【００１２】
図２に示すように、可動部４０はＬＣＤ（液晶表示）パネル４１を備える。可動部４０は２軸の回動機構により機器本体部に取り付けられている。すなわち、可動部４０は、ヒンジ部４３によって開閉軸４５を中心として左右の開閉方向にて回動可能に支持され、回転軸４６を中心とする回転方向にて回転可能に支持されている。図２では、表示部であるＬＣＤパネル４１の長手方向を左右方向とし、開閉軸４５の方向を上下方向とする。回転軸４６は、開閉軸４５と直交する方向（ＬＣＤパネル４１の長手方向）に延在する軸である。
【００１３】
収納面部４４は、収納時に可動部４０が機器本体部と対向する部分であり、開状態にて背面カバー１９に設けられた凹形状の底面部である。背面カバー１９は係止爪４７を備えており、可動部４０が背面カバー１９に収納されるときに係止可能である。収納面部４４は弾性部材４８を備える。可動部４０が閉状態であって、かつ係止爪４７により係止されている状態において弾性部材４８は圧縮状態となり、可動部４０を係止爪４７に付勢する。以後、可動部４０の開閉および回転の状態については、収納面部４４とＬＣＤパネル４１が対向して収納された状態(図１（Ｂ）参照)を開閉角度０°で回転角度０°とする。開閉角度の上限値を１７５°とし、回転角度の範囲を、図２に示す＋方向において１８０°までとし、−方向において９０°までとする。
【００１４】
図３は可動部４０を開閉動作させた際の異なる状態を示す斜視図である。図４は図３に示す各状態にて、ＬＶ撮影時におけるＬＣＤパネル４１の表示画面の状態を示している。機器本体部はその内部に、可動部４０の動作状態を検知する、開閉センサ５０及び回転センサ５１が配置されている。開閉センサ５０は可動部４０の開閉検知を行い、回転センサ５１は可動部４０の回転検知を行う。図３では可動部４０および機器本体部の一部を透視状態で図示している。開閉センサ５０及び回転センサ５１には、実装面に対して平行な磁場を検知する巨大磁気抵抗（Ｇｉａｎｔ  ＭａｇｎｅｔｏＲｅｓｉｓｔａｎｃｅ：ＧＭＲ）素子が用いられる。また、可動部４０の内部には、センサ（５０，５１）を反応させるための磁石５２が配置されている。磁場発生用に設けられた磁石５２は、可動部４０の長手方向においてヒンジ部４３の側の端部寄りに配置されている。
【００１５】
図３（Ａ）は可動部４０の閉状態を示す斜視図であり、開閉角度０°、回転角度０°の状態を示す。この状態の可動部４０は、ＬＣＤパネル４１が収納面部４４と対向して収納されている。閉じ検知センサ（図５の参照符号３１）により閉じ状態が検知されると、システム制御部（図５の参照符号３０）の制御によりＬＣＤパネル４１が消灯する。この状態でユーザが開閉軸４５を中心として可動部４０を開いていくと、所定の角度で閉じ検知センサによる閉じ状態検知がＯＦＦになる。このときにシステム制御部の制御によってＬＣＤパネル４１が点灯状態となる。
【００１６】
図３（Ｂ）は可動部４０の開状態を示す斜視図であり、開閉角度１７５°、回転角度０°の状態を示す。この状態は、開閉軸４５を中心にして可動部４０を開ききった状態であり、このときのＬＣＤパネル４１の表示状態を以後、通常表示と呼ぶ。図４（Ａ）は通常表示のＬＣＤパネル４１を示す。図３（Ｂ）の状態から、ユーザが回転軸４６を中心として可動部４０を＋方向に回転させると、所定の角度において開閉センサ５０及び回転センサ５１が磁石５２の磁場を検知する。その後、さらにユーザが可動部４０を＋方向に回転させると、図３（Ｃ）の状態となる。
【００１７】
図３（Ｃ）は可動部４０の開状態で表示面が正面側を向いた状態を示す斜視図であり、開閉角度１７５°、回転角度＋１８０°の状態を示す。この状態は、回転軸４６を中心として可動部４０を、＋１８０°回転しきった状態である。開閉センサ５０及び回転センサ５１は磁石５２の磁場を検知しており、ＬＣＤパネル４１の表示状態を図４（Ｂ）に正面側から示す。ＬＣＤパネル４１の表示はシステム制御部により制御されて、通常表示から上下が反転した表示（撮影者から見ると鏡像表示）となり、撮影者が自分撮りをするのに適した表示となる。図３（Ｃ）の状態からユーザが開閉軸４５を中心として可動部４０を閉じていくと所定の角度で開閉センサ５０が磁石５２の磁場を検知しなくなり、回転センサ５１のみが磁石５２の磁場を検知している状態となる。その後、ユーザがさらに可動部４０を閉じると、図３（Ｄ）の状態になる。
【００１８】
図３（Ｄ）は可動部４０の閉状態で表示面が後方を向いた状態を示す斜視図であり、開閉角度０°、回転角度＋１８０°の状態を示す。この状態は、可動部４０のＬＣＤパネル４１が撮影者に見えるように背面カバー１９の凹部に収納された状態であり、回転センサ５１のみが磁石５２の磁場を検知している状態である。このときのＬＣＤパネル４１の表示状態を図４（Ｃ）に示す。ＬＣＤパネル４１の表示はシステム制御部により制御されて、通常表示から上下左右が反転した表示となる。あたかも、可動部４０を備えていない、背面に表示装置を付設した電子機器と同様の外観および使用感を呈する。
【００１９】
次に図５を参照して、撮像装置１００の構成の要部を説明する。図５はＬＣＤパネル４１の表示制御に関するブロック図である。システム制御部３０は、撮像装置１００全体を制御し、画像表示や撮像動作などの制御を統括する。操作部３２はシャッタボタン６１やメイン電子ダイヤル７１などを含み、ユーザからの操作を受け付ける入力部としての各種操作部材を備える。メモリ３３には制御プログラムなどが記憶され、システム制御部３０がプログラムやデータなどを使用する。閉じ検知センサ３１、開閉センサ５０、回転センサ５１は、それぞれの検出信号をシステム制御部３０に出力する。システム制御部３０は、各センサの出力する検出信号を取得してＬＣＤパネル４１の表示制御を行う。
【００２０】
図６および図７を参照して、開閉センサ５０、回転センサ５１、磁石５２の配置について詳説する。図６は、図３（Ｄ）の状態の撮像装置１００を背面側から見た場合の図である。この状態において矩形状の表示画面の長手方向をＸ軸方向と定義する。図６の紙面内にてＸ軸方向に直交する方向をＹ軸方向と定義し、紙面に直交する方向をＺ軸方向と定義する。図７（Ａ）は、図６に示す範囲１０１の詳細図であり、開閉センサ５０、回転センサ５１、磁石５２の周辺以外の箇所を図示しない状態で拡大した図である。図７（Ａ）にて左右方向がＸ軸方向であり、上下方向がＹ軸方向である。また図７（Ｂ）は、図７（Ａ）中のＡ−Ａ線に沿う断面図である。図７（Ｂ）にて左右方向がＸ軸方向であり、上下方向がＺ軸方向である。図７（Ｃ）は斜視図であり、Ｘ軸、Ｙ軸、Ｚ軸の各方向は図示の通りである。
【００２１】
図６に示すように、開閉センサ５０および回転センサ５１は開閉軸上に配置され、磁石５２の磁場をそれぞれ検知する。図７（Ａ）において、磁石５２は左側をＮ極、右側をＳ極とし、Ｘ軸方向に着磁方向をもつように配置される。開閉センサ５０と磁石５２は、開閉軸４５に対して垂直な同一平面上に配置される。
【００２２】
開閉センサ５０と回転センサ５１は、ＦＰＣ（フレキシブルプリント基板）５３に実装されている。ＦＰＣ５３は樹脂部品５４に両面テープによって貼り付けられる。図７（Ｂ）に示すように、樹脂部品５４における開閉センサ５０の実装面および貼り付け面はＸＹ平面に対して傾斜（角度θ参照）がついている。つまり、開閉センサ５０は傾斜した状態で取り付けられており、角度θは、Ｙ軸方向から見た場合、Ｘ軸方向に対して開閉センサ５０の実装面および貼り付け面がなす角度を示す。図７（Ｂ）の矢印５５の方向で示すように、開閉センサ５０はＸＺ面内で所定の傾斜角度θをもった方向の磁場を検知するように配置される。すなわち、開閉センサ５０は、その実装面に対して平行な磁場を検知可能である。また回転センサ５１は、図７（Ａ）の矢印５６の方向で示すように、実装面と開閉軸４５に平行な方向（Ｙ軸方向）の磁場を検知するように配置される。
【００２３】
開閉センサ５０及び回転センサ５１の磁場検知の測定中心は、いずれも可動部４０の開閉軸４５上に配置されている。開閉センサ５０の磁場検知の測定中心から可動部４０の回転軸４６までの距離と、磁石５２の中心から可動部４０の回転軸４６までの距離は等しいか、またはほぼ同一である。その理由は、開閉センサ５０が磁石５２からの磁場をより強く検知するためである。また、この配置において、回転センサ５１の位置は、磁場検知の測定中心が開閉軸４５上にて磁石５２からの磁場を最も強く受ける位置であって、開閉センサ５０から所定距離だけずれた位置である。
【００２４】
次に図８を参照し、可動部４０の動きと、各センサの検知する磁束密度との関係について説明する。
図８（Ａ）は、図３（Ｂ）の状態から図３（Ｃ）の状態へ可動部４０を移動させた時に、回転センサ５１が検知する磁束密度変化を例示する。横軸は可動部４０の回転角度（単位：ｄｅｇｒｅｅ）を示し、縦軸は回転センサ５１の検知する磁束密度（単位：ｍＴ）を示す。図８（Ａ）には回転センサ５１の磁束密度検知の閾値を併せて示しており、閾値を超える場合にＯＮ検出とし、閾値以下の場合にＯＦＦ検出とする。
【００２５】
図３（Ｂ）の状態から図３（Ｃ）の状態への移行時には、開閉角度は１７５°の固定であって、回転角度が０°から＋１８０°に変化していく。この場合、回転角度が１６５°の付近で磁石５２による磁束密度が回転センサ５１の閾値を超えるので、回転センサ５１はＯＮ信号を出力する。他方、可動部４０が逆方向に回転された場合には、回転角度が０°から−９０°へと変化していくが、磁石５２による磁束密度は回転センサ５１の閾値を超えないので、回転センサ５１はＯＦＦ信号を出力する。
【００２６】
図８（Ｂ）は、図３（Ｄ）の状態から図３（Ｃ）の状態へ可動部４０を移動させた時に、開閉センサ５０が検知する磁束密度変化を例示する。横軸は可動部４０の開閉角度（単位：ｄｅｇｒｅｅ）を示し、縦軸は開閉センサ５０の検知する磁束密度（単位：ｍＴ）を示す。図８（Ｂ）には開閉センサ５０の磁束密度検知の閾値を併せて示しており、閾値以上の場合にＯＦＦ検出とし、閾値未満の場合にＯＮ検出とする。
【００２７】
図３（Ｄ）の状態から図３（Ｃ）の状態への移行時に、回転角度は＋１８０°の固定であって、開閉角度が０°から１７５°へ変化していく。この場合、開閉角度が１６３°の付近で磁石５２による磁束密度が開閉センサ５０の閾値未満となるので、開閉センサ５０はＯＮ信号を出力する。開閉検知角度の値を変更したい場合には、開閉センサ５０の取り付けの傾斜（図７（Ｂ）中の角度θ）を変えればよい。例えば、開閉検知角度の値を１６３°付近から１７０°付近に変更したい場合には、図７（Ｂ）に示す樹脂部品５４の傾斜角度θを大きくなる方向に変更する。この場合、開閉センサ５０の測定中心位置は変えずに磁場検知方向をＸＺ面内で約７°回転させればよい。よって、開閉検知角度を所望の角度へ変更する際にシミュレーションなどを行う必要はなく、直感的かつ容易な設計が可能となる。また、この構成によれば開閉センサ５０の位置を変更せずに、取り付けの傾斜角度を変更するのみで対応できるので、例えば外装部に影響を及ぼすことがなく、機器の大型化の原因とならない。
【００２８】
図８（Ｃ）は、図３（Ｄ）の状態から図３（Ｃ）の状態へ可動部４０を移動させた時に、回転センサ５１が検知する磁束密度変化を例示する。横軸は可動部４０の開閉角度（単位：ｄｅｇｒｅｅ）を示し、縦軸は回転センサ５１の検知する磁束密度（単位：ｍＴ）を示す。図８（Ｃ）には回転センサ５１の磁束密度検知の閾値を併せて示しており、閾値を超える場合にＯＮ検出とし、閾値以下の場合にＯＦＦ検出とする。
【００２９】
図３（Ｄ）の状態から図３（Ｃ）の状態への移行時に、回転角度は＋１８０°の固定であって、開閉角度が０°から１７５°へと変化していく。図８（Ｃ）に示すように、磁石５２による磁束密度は常に回転センサ５１の閾値を超えているので、回転センサ５１はＯＮ信号を出力する。これは、磁石５２の着磁方向と回転センサ５１の磁場検知方向との関係性が、可動部４０の開閉によって変化しないように磁石５２および回転センサ５１が配置されているからである。
なお、図３（Ａ）の状態から図３（Ｂ）の状態への移行の際には、磁石５２と２つのセンサ（５０，５１）とが十分に距離を保ったままの動作となるため、各センサは閾値を超える磁束密度を検知しない。
【００３０】
表１は、各センサの検知状態と、その時のＬＣＤパネル４１の表示状態を示す。
【表１】
2020074509.tif 000003
【００３１】
可動部４０が図３（Ａ）の状態では、閉じ検知センサ３１の検知により、ＬＣＤパネル４１は消灯状態であり、上述したように開閉センサ５０、回転センサ５１は共にＯＦＦ検知の状態である。可動部４０が図３（Ｂ）の状態では、ＬＣＤパネル４１は通常表示の状態であり、上述したように開閉センサ５０、回転センサ５１は共にＯＦＦ検知の状態である。システム制御部３０はＬＣＤパネル４１を制御することで、撮像素子により撮像された画像などを通常表示させる。
【００３２】
可動部４０が図３（Ｃ）の状態にて、ＬＣＤパネル４１はシステム制御部３０の制御にしたがって、撮像素子により撮像される画像などを上下反転状態で表示する。この状態では、撮影者が自分撮りをするのに適した表示となり、上述したように開閉センサ５０、回転センサ５１は共にＯＮ検知の状態である。
【００３３】
可動部４０が図３（Ｄ）の状態にて、ＬＣＤパネル４１はシステム制御部３０の制御にしたがって、撮像素子により撮像される画像などを上下左右反転状態で表示する。つまり、可動部４０を備えていない、背面に表示装置を付設した電子機器の場合と同様の外観および使用感になる。この場合、上述したように開閉センサ５０がＯＦＦ検知の状態で、回転センサ５１がＯＮ検知の状態である。なお、表１には開閉センサ５０がＯＮ検知の状態であって、かつ回転センサ５１がＯＦＦ検知の状態である場合を記載していない。この場合、可動部４０は、ＬＣＤパネル４１が通常表示である。
【００３４】
以上のように本実施形態によれば、可動部４０の動作状態検知において、開閉センサ５０と磁石５２のレイアウトを工夫することにより、開閉センサ５０による開閉検知角度を直感的かつ容易に変更可能である。したがって、磁気センサを用いた表示部の開閉検知角度の設計に関し、電子機器の大型化を伴うことなく容易に行うことが可能である。また、本実施形態によれば、開閉センサ５０と回転センサ５１のための磁石５２を共通に用いることができる。本例では、可動部４０の開閉角度１７５°、回転角度＋１８０°の状態に対して開閉センサ５０の検知角度を設定した配置例を示したが、これに限定されない。以下に変形例を説明する。
【００３５】
［変形例］
図９は、変形例に係る撮像装置を例示する。図９（Ａ）は撮像装置の背面図であり、可動部４０にて磁石５２を透視状態で示す。この状態において可動部４０の長手方向をＸ軸方向と定義する。図９（Ａ）の紙面内にてＸ軸方向に直交する方向をＹ軸方向と定義し、紙面に直交する方向をＺ軸方向と定義する。図９（Ｂ）は、図９（Ａ）に示す範囲１０２について、開閉センサ５０、磁石５２の周辺以外を図示しない状態で示す拡大図である。図９（Ｂ）の左右方向がＸ軸方向であり、上下方向がＹ軸方向である。図９（Ｃ）は図９（Ｂ）に示すＢ−Ｂ線に沿う断面図であり、左右方向がＸ軸方向であり、上下方向がＺ軸方向である。
【００３６】
変形例では、可動部４０が開閉角度０°、回転角度０°の状態で開閉センサ５０と磁石５２とが接近する配置である。また、図９（Ｂ）にて、磁石５２は左側をＮ極、右側をＳ極とし、Ｘ軸方向に着磁方向をもつように配置される。開閉センサ５０は磁場検知の測定中心が開閉軸４５上に位置する。図９（Ｃ）に矢印５６の方向で示すように、開閉センサ５０はＸＺ面内で所定の角度ωをもった方向の磁場を検知するように配置される。角度ωは、Ｙ軸方向から見た場合、Ｘ軸方向に対して開閉センサ５０の実装面および貼り付け面がなす角度を示し、本例では鈍角である。この構成において、例えば開閉角度が１０°以下で磁石５２による磁束密度が開閉センサ５０の閾値を超えた場合を想定する。開閉角度０°、回転角度０°の状態で開閉センサ５０はＯＮ検知の状態である。開閉角度が１０°を超えた場合には、開閉センサ５０がＯＦＦ検知の状態となる。開閉センサ５０のＯＮ検知によってシステム制御部３０は可動部４０の閉じ検知と判断し、ＬＣＤパネル４１を消灯に制御する。この場合でも開閉センサ５０の磁場検知方向をＸＺ面内で回転させるだけで、開閉検知角度を容易に変更可能である。
以上、本発明の好ましい実施形態について説明したが、本発明はこれらの実施形態に限定されず、その要旨の範囲内で種々の変形及び変更が可能である。
【符号の説明】
【００３７】
３０：システム制御部
４０：可動部（可動式表示装置）
４１：ＬＣＤパネル
４３：ヒンジ部
４５：開閉軸
５０：開閉センサ
５１：回転センサ
５２：磁石
【図１】
2020074509.tif 000004
【図２】
2020074509.tif 000005
【図３】
2020074509.tif 000006
【図４】
2020074509.tif 000007
【図５】
2020074509.tif 000008
【図６】
2020074509.tif 000009
【図７】
2020074509.tif 000010
【図８】
2020074509.tif 000011
【図９】
2020074509.tif 000012